(57)【要約】【課題】  ９０度回転して設置した場合の操作性を改善した画像投射装置を提供することである。【解決手段】  画像を被投射面に投射する投射光学系と、前記画像の第１方向における第１設定値、及び前記第１方向と垂直な第２方向における第２設定値とに応じて、前記画像の形状または位置を変更する画像変更手段と、前記第１設定値に対応する第１入力値、及び前記第２設定値に対応する第２入力値を入力する入力手段と、を備え、第１の設置状態と、前記第１の設置状態から略９０度回転させた第２の設置状態の両者で前記画像の投射が可能な画像投射装置であって、前記第１の設置状態においては、前記第１入力値に基づいて前記第１設定値を、前記第２入力値に基づいて前記第２設定値を生成し、前記第２の設置状態においては、前記第１入力値に基づいて前記第２設定値を、前記第２入力値に基づいて前記第１設定値を生成することを特徴とする構成とした。【選択図】  図１
2013110613.tif 000002
【特許請求の範囲】
【請求項１】
画像を被投射面に投射する投射光学系と、
前記画像の第１方向における第１設定値、及び前記第１方向と垂直な第２方向における第２設定値とに応じて、前記画像の形状または位置を変更する画像変更手段と、
前記第１設定値に対応する第１入力値、及び前記第２設定値に対応する第２入力値を入力する入力手段と、
を備え、第１の設置状態と、前記第１の設置状態から９０度回転させた第２の設置状態の両者で前記画像の投射が可能な画像投射装置であって、
前記第１の設置状態においては、前記第１入力値に基づいて前記第１設定値を、前記第２入力値に基づいて前記第２設定値を生成し、
前記第２の設置状態においては、前記第１入力値に基づいて前記第２設定値を、前記第２入力値に基づいて前記第１設定値を生成する事を特徴とする画像投射装置。
【請求項２】
画像投射装置の各種設定を行うためのメニュー表示データを記憶する記憶手段と、
前記記憶手段から読み出した前記メニュー表示データをそのまま表示する第１のメニュー表示状態、及び９０度回転させて表示させる第２のメニュー表示状態をもつメニュー表示手段と、を備えた請求項１記載の画像投射装置であって、
前記メニュー表示手段は、前記第１の設置状態においては第１の表示状態を、前記第２の設置状態においては第２の表示状態をとる事を特徴とする画像投射装置。
【請求項３】
装置が前記第１の設置状態に設置されているか、前記第２の設置状態に設置されているかを判定するための判定手段を備えた請求項１または請求項２に記載の画像投射装置。
【請求項４】
前記画像変更手段が、前記画像の縦方向における縦キーストーン設定値、及び横方向における横キーストーン設定値とに応じて、前記画像の縦及び横の台形歪みを補正するキーストーン補正手段である事を特徴とする請求項１乃至請求項３の何れか１項に記載の画像投射装置。
【請求項５】
前記画像変更手段が、前記画像の縦方向における縦シフト設定値、及び横方向における横シフト設定値とに応じて、前記画像の投射位置を変更する投射画像シフト手段である事を特徴とする請求項１乃至請求項３の何れか１項に記載の画像投射装置。
【請求項６】
前記画像変更手段が、前記画像の縦方向における縦位置設定値、及び横方向における横位置設定値とに応じて、前記メニュー表示の表示位置を変更するメニュー表示位置変更手段である事を特徴とする請求項２または請求項３に記載の画像投射装置。
【発明の詳細な説明】
【技術分野】
【０００１】
本発明は、画像投射装置に関するものである。本発明の画像投射装置は、例えば、液晶プロジェクタ装置や、ＤＬＰ（Ｄｉｇｉｔａｌ  Ｌｉｇｈｔ  Ｐｒｏｃｅｓｓｉｎｇ）プロジェクタ装置等の画像投射装置などに適用可能である。
【背景技術】
【０００２】
コンピュータからの画像を画像投射装置で表示する場合、通常は図４（ａ）正設置にし横長の画像を表示するが、コンピュータで出力する画像を右回転し、画像投射装置を図４（ｂ）左回転設置にする事で、縦長の映像を表示することも可能である。
【０００３】
上記のように画像投射装置を回転して設置した場合、ユーザから見ると、コンピュータから出力される画像の上下左右の方向は正しく表示されるが、画像投射装置のメニューをオンスクリーン表示させた場合、メニューは回転された状態で表示される事となる。この問題に対し、例えば特許文献１では、画像投射装置の設置状態を判定する手段と、通常設置状態用のオンスクリーン画像と回転設置状態用のオンスクリーンを保持しており、設置状態に応じ使い分ける技術が開示されている。こうする事により、メニューが読み易くなるだけでなく、選択項目の変更方向がリモコンの操作方向と一致し、利便性が向上する。
【先行技術文献】
【特許文献】
【０００４】
【特許文献１】特開２００５−１４８５９５号公報
【発明の概要】
【発明が解決しようとする課題】
【０００５】
しかしながら、上述の特許文献に開示された従来技術では、メニュー項目の選択操作は正設置時と回転設置時の設置状態による違いは無いが、例えば縦方向の台形歪みを補正しようとした場合、ユーザは設置状態を考慮して操作しなくてはならならず操作性が悪かった。
【０００６】
そこで、本発明の目的は、通常の設置状態に対し９０度回転して設置する事が可能であり、９０度回転して設置した場合の操作性を改善した画像投射装置を提供することである。
【課題を解決するための手段】
【０００７】
上記目的を達成するために、本発明の画像投射装置は、
画像を被投射面に投射する投射光学系と、
前記画像の第１方向における第１設定値、及び前記第１方向と垂直な第２方向における第２設定値とに応じて、前記画像の形状または位置を変更する画像変更手段と、
前記第１設定値に対応する第１入力値、及び前記第２設定値に対応する第２入力値を入力する入力手段と、
を備え、第１の設置状態と、前記第１の設置状態から略９０度回転させた第２の設置状態の両者で前記画像の投射が可能な画像投射装置であって、
前記第１の設置状態においては、前記第１入力値に基づいて前記第１設定値を、前記第２入力値に基づいて前記第２設定値を生成し、
前記第２の設置状態においては、前記第１入力値に基づいて前記第２設定値を、前記第２入力値に基づいて前記第１設定値を生成する事を特徴とする。
【発明の効果】
【０００８】
本発明によれば、通常の設置状態に対し９０度回転して設置する事が可能であり、９０度回転して設置した場合の操作性を改善した画像投射装置を提供することができる。
【図面の簡単な説明】
【０００９】
【図１】実施例１に係る画像投射装置のブロック図である。
【図２】実施例２に係る画像投射装置のブロック図である。
【図３】実施例３に係る画像投射装置のブロック図である。
【図４】画像投射装置の設置方法を示した図である。
【発明を実施するための形態】
【００１０】
以下に、本発明の好ましい実施の形態を、添付の図面に基づいて詳細に説明する。なお、各実施例での画像投射装置は、説明を簡単にするため、図４の（ａ）正設置と（ｂ）左回転設置の２つの設置状態のみに限定する。
【００１１】
［実施例１］
図１は、実施例１の画像投射装置のブロック図である。画像投射装置は、図示していない入力映像処理部と、設置状態制御部１、ＯＳＤ処理部１０、キーストーン調整値入力部２０、キーストーン補正部３０、表示部２を有する。なお、ＯＳＤはオンスクリーンディスプレイの略である。
【００１２】
入力映像処理部は、画像投射装置へ入力された映像信号を画像投射装置内部の映像フォーマットへと変換する。
【００１３】
設置状態制御部１は、正設置か左回転設置かの設置状態を保持するメモリと、その設置状態を変更する変更手段で構成されており、変更手段により設置状態が変更する度に、ＯＳＤ処理部１０やキーストーン補正部３０の動作を切り替える。変更手段としては、加速度センサー等のセンサー類による自動判別や、ＯＳＤメニューによるユーザからの手動入力等がある。
【００１４】
ＯＳＤ処理部１０は、入力映像処理部から出力された映像信号に、メニュー等のＯＳＤ映像の重畳処理を行い、ＯＳＤメモリ部１１、回転処理部１２、回転選択ＳＷ１３、ＯＳＤ重畳部１４を有する。ＯＳＤメモリ部１１は、キーストーン調整値を表示するメニュー画像が保持してある。回転処理部１２は、ＯＳＤメモリ部１１から入力されるメニュー画像を右に９０度回転させて出力する。回転選択ＳＷ１３は、設置状態制御部１により制御され、設置状態が正設置の場合はＯＳＤメモリ部１１のメニュー画像をそのまま、設置状態が左回転設置の場合は回転処理部１２の回転されたメニュー画像をＯＳＤ重畳部１４へと出力する。ＯＳＤ重畳部１４は、入力映像処理部から入力される映像に、回転選択ＳＷ１３から入力されるメニュー画像を重ね合わせた合成画像を出力する。
【００１５】
キーストーン調整値入力部２０は、画像投射装置と投射面の位置関係により生じる水平及び垂直方向の台形歪みを補正するための調整値を入力する役割を持ち、点線で示すように、垂直調整値入力部２１と水平調整値入力部２２を有する。垂直調整値入力部２１は、垂直方向の台形歪み補正量を調整するための垂直キーストーン調整値を記憶するメモリと、調整値を表示する表示ボタンと、投射面上の上辺を下辺に対し相対的に短くする増加ボタンと、長くする減少ボタンで構成されている。垂直キーストーン調整値は、０が中心値で上下辺長が等しく、正数だと上辺が短く、負数だと下辺が短く、また、絶対値が大きいほど上下辺長差が大きいことを表すものとする。
【００１６】
水平調整値入力部２２は、水平方向の台形歪み補正量を調整するための水平キーストーン調整値を記憶するメモリと、調整値を表示する表示ボタンと、投射面上の右辺を左辺に対し相対的に短くする増加ボタンと、長くする減少ボタンで構成されている。水平キーストーン調整値は、０が中心値で左右辺長が等しく、正数だと右辺が短く、負数だと左辺が短く、また、絶対値が大きいほど左右辺長差が大きいことを表すものとする。水平または垂直の表示ボタンが押されると、ＯＳＤ処理部１０に調整値が通知され、キーストーン調整値を表示するメニューが表示される。その状態で、さらに増加または減少ボタンが押されると、調整値を記憶するメモリが更新され、更新された調整値がＯＳＤ処理部１０及びキーストーン補正部３０へ通知され、表示されているメニュー及びキーストーン補正量の変更が行われる。
【００１７】
キーストーン補正部３０は、投射画像の垂直方向歪及び水平方向歪を画像処理によって補正し、点線で示すように、負号反転部３１、垂直選択ＳＷ３２、水平選択ＳＷ３３、キーストーン補正処理部３４、垂直設定値生成部３５、水平設定値生成部３６を有する。負号反転部３１は、水平調整値入力部２２からの出力の負号を反転し、相対的に短くなる辺が逆転する。垂直選択ＳＷ３２は、設置状態制御部１により制御され、設置状態が正設置の場合は垂直調整値入力部２１から入力される垂直キーストーン調整値を、設置状態が左回転設置の場合は負号反転部３１から入力される水平キーストーン調整値を出力する。水平選択ＳＷ３３は、設置状態制御部１により制御され、設置状態が正設置の場合は水平調整値入力部２２から入力される水平キーストーン調整値を、設置状態が左回転設置の場合は垂直調整値入力部２１から入力される垂直キーストーン調整値を出力する。
【００１８】
キーストーン補正処理部３４は、正設置した場合の方向で定義された垂直設定値及び水平設定値を持ち、その設定値に応じて、画像投射装置と投射面の位置関係により生じる水平及び垂直方向の台形歪みを打ち消すような画像処理を施す。垂直設定値生成部３５は、垂直選択ＳＷ３２から入力される垂直または水平キーストーン調整値に応じて、キーストーン補正処理部３４の垂直設定値へ設定する値を生成し設定する。水平設定値生成部３６は、水平選択ＳＷ３３から入力される垂直または水平キーストーン調整値に応じて、キーストーン補正処理部３４の水平設定値へ設定する値を生成し設定する。
【００１９】
従来は、左回転設置した場合に、キーストーン補正により上辺を短くする操作をしようとすると、画像投射装置の上辺はユーザから見ると左辺であるため、左辺が短くなってしまっていた。同様に、左辺を短くしようとした場合は下辺が、下辺を短くしようとした場合は右辺が、右辺を短くしようとした場合は上辺が短くなってしまい操作性が悪いため、そこを改善する需要があった。これに対し本実施例では、左回転設置した場合は負号反転部３１、垂直選択ＳＷ３２、水平選択ＳＷ３３で上下左右方向をユーザ視点に変換しているため、ユーザは、操作性良く投射画像の歪を補正することができる。
【００２０】
表示部２は、キーストーン補正処理部３４から入力される映像信号を光学映像へと変換する。なお、画像投射装置は、表示部２で変換された光学映像をスクリーンに投射する不図示の投射部を更に有している。
【００２１】
以上、本実施例によれば、左回転設置した場合においても、正設置した場合の感覚で垂直キーストーン調整及び水平キーストーン調整を行うことができ、ユーザは操作性良く投射画像の歪を補正することができる。また、本実施例では説明を簡単にするため、左回転設置に限定したが、右回転設置に関しても、負号反転部３１を垂直調整値入力部２１と水平選択ＳＷ３３の間に置き換える事で適用が可能である。
【００２２】
なお、本実施例では、水平及び垂直キーストーン補正値をメニュー表示することとしたが、必ずしもその必要性がないためＯＳＤ処理部１０を含まなくてもよい。
【００２３】
［実施例２］
図２は、実施例２の画像投射装置のブロック図である。画像投射装置は、図示していない入力映像処理部と、設置状態制御部１、ＯＳＤ処理部４０、表示部２、レンズシフト調整値入力部５０、レンズシフト部６０を有する。
【００２４】
入力映像処理部は、画像投射装置へ入力された映像信号を画像投射装置内部の映像フォーマットへと変換する。
【００２５】
設置状態制御部１は、正設置か左回転設置かの設置状態を保持するメモリと、その設置状態を変更する変更手段で構成されており、変更手段により設置状態が変更する度に、ＯＳＤ処理部４０やレンズシフト部６０の動作を切り替える。変更手段としては、加速度センサー等のセンサー類による自動判別や、ＯＳＤメニューによるユーザからの手動入力等がある。
【００２６】
ＯＳＤ処理部４０は、入力映像処理部から出力された映像信号に、メニュー等のＯＳＤ映像の重畳処理を行い、ＯＳＤメモリ部４１、回転処理部４２、回転選択ＳＷ４３、ＯＳＤ重畳部４４を有する。ＯＳＤメモリ部４１は、レンズシフト調整値を表示するメニュー画像が保持してある。回転処理部４２は、ＯＳＤメモリ部４１から入力されるメニュー画像を右に９０度回転させて出力する。回転選択ＳＷ４３は、設置状態制御部１により制御され、設置状態が正設置の場合はＯＳＤメモリ部４１のメニュー画像をそのまま、設置状態が左回転設置の場合は回転処理部４２の回転されたメニュー画像をＯＳＤ重畳部４４へと出力する。ＯＳＤ重畳部４４は、入力映像処理部から入力される映像に、回転選択ＳＷ４３から入力されるメニュー画像を重ね合わせた合成画像を出力する。表示部２は、ＯＳＤ重畳部４４から入力される映像信号を光学映像へと変換する。
【００２７】
レンズシフト調整値入力部５０は、光学的に投射面を平行移動させるレンズシフト量の調整値を入力する役割を持ち、点線で示すように、垂直調整値入力部５１と水平調整値入力部５２を有する。垂直調整値入力部５１は、垂直方向のレンズシフト量を調整するための垂直レンズシフト調整値を記憶するメモリと、調整値を表示する表示ボタンと、投射面を上へシフトする増加ボタンと、下へシフトする減少ボタンで構成されている。垂直レンズシフト調整値は、０が中心値で、正数だと中心値より上側へ、負数だと中心値より下側へ、また、絶対値が大きいほど中心値から離れていることを表す。
【００２８】
水平調整値入力部５２は、水平方向のレンズシフト量を調整するための水平レンズシフト調整値を記憶するメモリと、調整値を表示する表示ボタンと、投射面を右にシフトする増加ボタンと、左へシフトする減少ボタンで構成されている。水平レンズシフト調整値は、０が中心値で、正数だと中心値より右側へ、負数だと中心値より左側へ、また、絶対値が大きいほど中心値から離れていることを表す。水平または垂直の表示ボタンが押されると、ＯＳＤ処理部４０に調整値が通知され、レンズシフト調整値を表示するメニューが表示される。その状態で、さらに上下左右のシフトボタンが押されると、調整値を記憶するメモリが更新され、更新された調整値がＯＳＤ処理部４０及びレンズシフト部６０へ通知され、表示されているメニュー及びレンズシフト量の変更が行われる。
【００２９】
レンズシフト部６０は、投射面を光学的に垂直方向または水平方向へ平行移動させるための処理を行い、点線で示すように、負号反転部６１、垂直選択ＳＷ６２、水平選択ＳＷ６３、垂直レンズシフト部６４、水平レンズシフト部６５を有する。負号反転部６１は、水平調整値入力部５２からの出力の負号を反転し、左右の方向が逆転する。垂直選択ＳＷ６２は、設置状態制御部１により制御され、設置状態が正設置の場合は垂直調整値入力部５１から入力される垂直レンズシフト調整値を、設置状態が左回転設置の場合は負号反転部６１から入力される水平レンズシフト調整値を出力する。水平選択ＳＷ６３は、設置状態制御部１により制御され、設置状態が正設置の場合は水平調整値入力部５２から入力される水平レンズシフト調整値を、設置状態が左回転設置の場合は垂直調整値入力部５１から入力される垂直レンズシフト調整値を出力する。垂直レンズシフト部６４は、垂直選択ＳＷ６２から入力される調整量に応じて、正設置した場合の垂直方向へ、光学的に投射面を平行移動させる。水平レンズシフト部６５は、水平選択ＳＷ６３から入力される調整量に応じて、正設置した場合の水平方向へ、光学的に投射面を平行移動させる。なお、画像投射装置は、水平レンズシフト部６５から出力される光学映像をスクリーンに投射する不図示の投射部を更に有している。
【００３０】
従来は、左回転設置した場合に、レンズシフトにより上へシフトする操作をしようとすると、画像投射装置の上はユーザから見ると左であるため、左へシフトしてしまっていた。同様に、左へシフトしようとした場合は下に、下へシフトしようとした場合は右に、右へシフトしようとした場合は上へシフトしてしまい操作性が悪いため、そこを改善する需要があった。これに対し本実施例では、左回転設置した場合は負号反転部６１、垂直選択ＳＷ６２、水平選択ＳＷ６３で上下左右方向をユーザ視点に変換しているため、ユーザは、操作性良くレンズシフト量を調整することができる。
【００３１】
以上、本実施例によれば、左回転設置した場合においても、正設置した場合の感覚で垂直レンズシフト調整及び水平レンズシフト調整を行うことができ、ユーザは操作性良く投射画像をシフトすることができる。また、本実施例では説明を簡単にするため、左回転設置に限定したが、右回転設置に関しても、負号反転部６１を垂直調整値入力部５１と水平選択ＳＷ６３の間に置き換える事で適用が可能である。
【００３２】
なお、本実施例では、水平及び垂直レンズシフト調整値をメニュー表示することとしたが、必ずしもその必要性がないためＯＳＤ処理部４０を含まなくてもよい。
【００３３】
［実施例３］
図３は、実施例３の画像投射装置のブロック図である。画像投射装置は、図示していない入力映像処理部と、設置状態制御部１、ＯＳＤ処理部７０、表示部２、メニュー表示位置調整値入力部８０、メニュー表示位置設定部９０を有する。
【００３４】
入力映像処理部は、画像投射装置へ入力された映像信号を画像投射装置内部の映像フォーマットへと変換する。
【００３５】
設置状態制御部１は、正設置か左回転設置かの設置状態を保持するメモリと、その設置状態を変更する変更手段で構成されており、変更手段により設置状態が変更する度に、ＯＳＤ処理部７０の動作を切り替える。変更手段としては、加速度センサー等のセンサー類による自動判別や、ＯＳＤメニューによるユーザからの手動入力等がある。
【００３６】
ＯＳＤ処理部７０は、入力映像処理部から出力された映像信号に、メニュー等のＯＳＤ映像の重畳処理を行い、ＯＳＤメモリ部７１、回転処理部７２、回転選択ＳＷ７３、ＯＳＤ重畳部７４を有する。ＯＳＤメモリ部７１は、画像投射装置の動作を切り替える際の選択肢を表示するメニュー画像が保持されている。その中には、メニュー表示位置調整値を表示するメニュー画像も含まれる。回転処理部７２は、ＯＳＤメモリ部７１から入力されるメニュー画像を右に９０度回転させて出力する。回転選択ＳＷ７３は、設置状態制御部１により制御され、設置状態が正設置の場合はＯＳＤメモリ部７１のメニュー画像をそのまま、設置状態が左回転設置の場合は回転処理部７２の回転されたメニュー画像をＯＳＤ重畳部７４へと出力する。ＯＳＤ重畳部７４は、入力映像処理部から入力される映像に、回転選択ＳＷ７３から入力されるメニュー画像を垂直位置設定部９４及び水平位置設定部９５に指定された位置に重ね合わせた映像を出力する。表示部２は、ＯＳＤ重畳部７４から入力される映像信号を光学映像へと変換する。なお、画像投射装置は、ＯＳＤ重畳部７４から出力される光学映像をスクリーンに投射する不図示の投射部を更に有している。
【００３７】
メニュー表示位置調整値入力部８０は、画像投射装置の動作を切り替える際に表示されるメニューの表示位置調整値を入力する役割を持ち、点線で示すように、垂直調整値入力部８１と水平調整値入力部８２を有する。垂直調整値入力部８１は、垂直方向のメニュー表示位置を調整するための垂直メニュー表示位置調整値を記憶するメモリと、調整値を表示する表示ボタンと、メニュー表示位置を上へ移動する増加ボタンと、下へ移動する減少ボタンで構成されている。垂直メニュー表示位置調整値は、０が中心値で、正数だと中心値より上側へ、負数だと中心値より下側へ、また、絶対値が大きいほど中心値から離れていることを表す。水平調整値入力部８２は、水平方向のメニュー表示位置を調整するための水平メニュー表示位置調整値を記憶するメモリと、調整値を表示する表示ボタンと、メニュー表示位置を右に移動する増加ボタンと、左へ移動する減少ボタンで構成されている。水平メニュー表示位置調整値は、０が中心値で、正数だと中心値より右側へ、負数だと中心値より左側へ、また、絶対値が大きいほど中心値から離れていることを表す。水平または垂直の表示ボタンが押されると、ＯＳＤ処理部７０に調整値が通知され、メニュー表示位置調整値を表示するメニューが表示される。その状態で、さらに増加または減少ボタンが押されると、調整値を記憶するメモリが更新され、更新された調整値がＯＳＤ処理部７０及びメニュー表示位置設定部９０へ通知され、表示されているメニューの調整値及び表示位置の変更が行われる。
【００３８】
メニュー表示位置設定部９０は、画像投射装置の動作を切り替える際に表示されるメニューの表示位置を設定し、点線で示すように、負号反転部９１、垂直選択ＳＷ９２、水平選択ＳＷ９３、垂直位置設定部９４、水平位置設定部９５を有する。負号反転部９１は、水平調整値入力部８２からの出力の負号を反転し、左右の方向が逆転する。垂直選択ＳＷ９２は、設置状態制御部１により制御され、設置状態が正設置の場合は垂直調整値入力部８１から入力される垂直メニュー表示位置調整値を、設置状態が左回転設置の場合は負号反転部９１から入力される水平メニュー表示位置調整値を出力する。水平選択ＳＷ９３は、設置状態制御部１により制御され、設置状態が正設置の場合は水平調整値入力部８２から入力される水平メニュー表示位置調整値を、設置状態が左回転設置の場合は垂直調整値入力部８１から入力される垂直メニュー表示位置調整値を出力する。垂直表示位置設定部９４は、垂直選択ＳＷ９２から入力される調整量に応じて、正設置した場合の垂直方向へ、メニュー表示位置を移動させる。水平表示位置設定部９５は、水平選択ＳＷ９３から入力される調整量に応じて、正設置した場合の水平方向へ、メニュー表示位置を移動させる。
【００３９】
従来は、左回転設置した場合に、メニュー表示位置設定部９０により上へ移動する操作をしようとすると、画像投射装置の上はユーザから見ると左であるため、左へ移動してしまっていた。同様に、左へ移動しようとした場合は下に、下へ移動しようとした場合は右に、右へ移動しようとした場合は上へ移動してしまい操作性が悪いため、そこを改善する需要があった。これに対し本実施例では、左回転設置した場合は負号反転部９１、垂直選択ＳＷ９２、水平選択ＳＷ９３で上下左右方向をユーザ視点に変換しているため、ユーザは、操作性良くメニュー表示位置を調整することができる。
【００４０】
以上、本実施例によれば、左回転設置した場合においても、正設置した場合の感覚で垂直及び水平メニュー表示位置調整を行うことができ、ユーザは操作性良くメニュー表示位置を移動させることができる。また、本実施例では説明を簡単にするため、左回転設置に限定したが、右回転設置に関しても、負号反転部９１を垂直調整値入力部８１と水平選択ＳＷ９３の間に置き換える事で適用が可能である。
【００４１】
以上、本発明の好ましい実施形態について説明したが、本発明はこれらの実施形態に限定されず、その要旨の範囲内で種々の変形及び変更が可能である。
【符号の説明】
【００４２】
１、  設置状態制御部
２１、５１、８１  垂直調整値入力部
２２、５２、８２  水平調整値入力部
３１、６１、９１  負号反転部
３２、６２、９２  垂直選択ＳＷ
３３、６３、９３  水平選択ＳＷ
【図１】
2013110613.tif 000003
【図２】
2013110613.tif 000004
【図３】
2013110613.tif 000005
【図４】
2013110613.tif 000006